(57)【要約】【課題】表示部の位置ずれを防ぐとともに、表示部の視認性を向上させることができるセグメント表示器を提供する。【解決手段】セグメント表示器は、各表示部３１が、各通光部１５１よりも一回り小さく形成されており、さらに、一つの連続した形状に形成されている。これにより、セグメント表示器１は、所定のＬＥＤから光が発せられると、その光が、所定の通光用セグメント１５１ａを通って表示部３１，３１を照らす。これにより、各表示部３１は、複数の表示用セグメントを形成して表示される。【選択図】図３
2010044224.tif 000002
【特許請求の範囲】
【請求項１】
表示パネルと、この表示パネルが表面に被せられた仕切り部品と、この仕切り部品の裏側に配置された基板とを備えているセグメント表示器であって、
前記表示パネルには、所定の形状を有する透光性の表示部が設けられ、
前記仕切り部品の表面には、通光部が前記表示部と重なるように貫通して設けられ、この通光部は、前記表示部と同じ形状を形成する複数の通光用セグメントから構成され、
前記基板の表面には、各通光用セグメントの裏側に、各通光用セグメントを介して前記表示部を照らすための光源がそれぞれ配置されている一方、
前記表示部は、前記通光部よりも一回り小さく、且つ、一つの連続した形状に形成され、発光時に、前記複数の通光用セグメントを通る光により複数の表示用セグメントを形成して表示されるように構成されていることを特徴とするセグメント表示器。
【発明の詳細な説明】
【技術分野】
【０００１】
本件発明は、数字、文字、記号等を、複数のセグメントにより表示するセグメント表示器に関する。
【背景技術】
【０００２】
従来より、車両のメータ等には、セグメント表示器が使用されている（特許文献１参照）。図６に示すように、従来のセグメント表示器１０１は、例えば、透明カバー１０２と、表示パネル１０３と、導光部品１０４，１０４と、仕切り部品１０５と、基板１０６と、ホルダー１０７とを備えている。
【０００３】
表示パネル１０３は、仕切り部品１０５の表面に被せられている。図７にも示すように、表示パネル１０３には、二つの表示部１３１，１３１が設けられている。二つの表示部１３１，１３１の形状は、数字の「８８」である。各表示部１３１は、七つの表示用セグメント１３１ａから構成されている。各表示用セグメント１３１ａは透光性を有している。
【０００４】
また、図６に示すように、仕切り部品１０５の表面には、二つの通光部１５１が貫通して設けられている。図７に示すように、各通光部１５１は、表示パネル１０３の各表示部１３１と重なるように配置されている。さらに、各通光部１５１は七つの通光用セグメント１５１ａから構成されて、各表示部１３１と同じ形状（数字の８８）を形成している。
【０００５】
一方、二つの導光部品１０４，１０４は、表示部１３１，１３１を均一に照らすためのものである。図６に示すように、各導光部品１０４は、七つの導光用セグメント１０４ａから構成されて、仕切り部品１０５の各通光部１５１と同じ形状（数字の８８）を形成している。各導光用セグメント１０４ａは、各通光用セグメント１５１ａに嵌め込まれている。
【０００６】
基板１０６は、仕切り部品１０５の裏側に配置されている。この基板１０６の表面には、各通光用セグメント１５１ａの裏側にＬＥＤ（光源）１６１が配置されている。さらに、基板１０６は、制御部（図示せず）に接続されており、制御部から出力される所定の制御信号に基づいて所定のＬＥＤ１６１が発光するように構成されている。
【０００７】
したがって、従来のセグメント表示器１０１では、所定のＬＥＤ１６１から発せられた光が、所定の導光用セグメント１０４ａを通って、所定の表示用セグメント１３１ａを照らして表示内容を表示する。ここでは、数字の８８になる。これにより、乗員は、表示部１３１，１３１の表示内容を視認することが可能になっている。
【特許文献１】特開平９−２１２０９９号公報
【発明の開示】
【発明が解決しようとする課題】
【０００８】
しかしながら、従来のセグメント表示器１０１では、表示パネル１０３を仕切り部品１０５に被せた際に、表示部１３１と通光部１５１との重なり位置がずれることがある。そこで、図７に示すように、各表示用セグメント１３１ａを、各通光用セグメント１５１ａよりも一回り小さく形成することが考えられる。
【０００９】
しかし、この場合には、図８に示すように、各表示用セグメント１３１ａ間の隙間幅１３１ｗが必要以上に大きくなってしまい、表示部１３１，１３１の視認性が良くなかった。
【００１０】
本件発明は、かかる従来の課題に鑑みてなされたものであり、表示部の位置ずれを防ぐとともに、表示部の視認性を向上させることができるセグメント表示器を提供することを目的とする。
【課題を解決するための手段】
【００１１】
前記課題を解決するために本件発明のセグメント表示器では、表示部は、通光部よりも一回り小さく、且つ、一つの連続した形状に形成され、発光時に、複数の通光用セグメントを通る光により複数の表示用セグメントを形成して表示されるように構成されていることを特徴としている。
【発明の効果】
【００１２】
本件発明のセグメント表示器では、表示部を一つの連続した形状に形成し、発光時に複数のセグメントを形成して表示するように構成した。これにより、表示用セグメント間の隙間幅は、通光用セグメント間の隙間幅と同じになる。したがって、発光時における表示用セグメント間の隙間幅を従来よりも細くすることが可能になる。よって、本件発明のセグメント表示器は、表示部の位置ずれを防ぐとともに、表示部の視認性を向上させることができる。
【発明を実施するための最良の形態】
【００１３】
以下、本件発明の実施の形態を図にしたがって説明する。
【００１４】
図１は、本件発明の一実施の形態を示すセグメント表示器１の分解斜視図である。なお、本実施の形態のセグメント表示器１において、従来のセグメント表示器１０１（図６参照）と同様な部分は同じ符号を付して説明し、異なる部分を中心にして説明する。
【００１５】
このセグメント表示器１は、従来のセグメント表示器１０１と同様に、透明カバー１０２と、表示パネル３と、導光部品１０４，１０４と、仕切り部品１０５と、基板１０６と、ホルダー１０７とを備えている。
【００１６】
本実施の形態では、表示パネル３の構成について説明する。この表示パネル３は、仕切り部品１０５の表面に被せられている。表示パネル３には、二つの表示部３１，３１が設けられている。二つの表示部３１，３１の形状は、数字の「８８」である。
【００１７】
各表示部３１は、透光性を有している。これについて説明する。図２に示すように、表示パネル３は、透光性の拡散板３２を中心にして構成されている。この拡散板３２の裏面全体には、薄黒色の印刷層３３が形成されている。薄黒色の印刷層３３の裏面には、それよりも濃い黒色の遮光性印刷層３４が形成されている。この遮光性印刷層３４は、薄黒色の印刷層３３の裏面において表示部３１を白抜きで形成している。
【００１８】
また、図３に示すように、各表示部３１は、各通光部１５１よりも一回り小さく形成されている。さらに、各表示部３１は、従来の表示部１３１（図７参照）と異なり一つの連続した形状に形成されている。
【００１９】
以上のように構成されているセグメント表示器１について、その表示機能を説明する。制御部（図示せず）から所定の制御信号が出力されると、所定のＬＥＤ１６１から光が発せられる。その光は、所定の導光用セグメント１０４ａ、（所定の通光用セグメント１５１ａ）を通って、表示パネル３の表示部３１，３１を照らす。これにより、各表示部３１は、図４に示すように、複数の表示用セグメント３１ａを形成して表示される。ここでは、数字の８８が表示される。
【００２０】
ここで、各表示部３１は、元々一つの連続した形状に形成されている。このことから、図５に示すように、表示用セグメント３１ａ、３１ａ間の隙間幅３１ｗは、通光用セグメント１５１ａ、１５１ａ間の隙間幅１５１ｗと同じになる。
【００２１】
したがって、図４と図８を比べれば明らかなように、本実施の形態のセグメント表示器１は、発光時における表示用セグメント３１ａ、３１ａ間の隙間幅３１ｗを従来よりも細くすることが可能になる。よって、本実施の形態のセグメント表示器１は、表示部３１，３１の視認性を向上させることができる。
【００２２】
また、本実施の形態のセグメント表示器１は、各表示部３１が、各通光部１５１よりも一回り小さく形成されているため、従来のセグメント表示器と同様に、表示部３１、３１の位置ずれを防ぐことができる。また、これにより照明光のにじみが生じることも抑えられるので視認性が向上する。また、表示パネル３の裏側（拡散板３２の裏側）に黒色の遮光性印刷層３４を形成したことで、照明光のにじみが生じるのをさらに抑えることができる。また、位置ずれを防ぐために、各表示部３１と各通光部１５１の寸法管理を厳しくする必要がないので、部品コストや組み立てコストの低減化を図ることができる。
【００２３】
また、図５に示すように、各表示部３１の四つの角部３１ｃは面取り形状にしている。これにより、図４と図８を比べれば明らかなように、表示部３１，３１のデザイン性を向上させることができる。なお、本実施の形態の表示部３１以外でも、角部を有する形状を備えている表示部であれば、このような面取り加工を適用することによりデザイン性を向上させることができる。
【００２４】
以上、本件発明にかかる実施の形態を例示したが、この実施の形態は本件発明の内容を限定するものではない。また、本件発明の請求項の範囲を逸脱しない範囲であれば、各種の変更等は可能である。
【００２５】
例えば、本実施の形態では、二つの導光部品１０４，１０４を備えたセグメント表示器１について説明したが、本件発明のセグメント表示器は、少なくとも表示パネル３と、仕切り部品１０５と、基板１０６とを備えていれば、本実施の形態と同様の効果を得ることができる。
【産業上の利用可能性】
【００２６】
以上説明したように本件発明のセグメント表示器は、表示部の位置ずれを防ぐとともに、表示部の視認性を向上させることができる。したがって、本件発明のセグメント表示器をセグメント表示器の技術分野で十分に利用することができる。
【図面の簡単な説明】
【００２７】
【図１】本件発明の一実施の形態を示すセグメント表示器の分解斜視図である。
【図２】同実施の形態を示す表示パネルの断面図である。
【図３】図１において表示パネルと仕切り部品とを重ねた状態を示す平面図である。
【図４】図３において発光した状態を示す平面図である。
【図５】図３の左上部の拡大図である。
【図６】従来のセグメント表示器の分解斜視図である。
【図７】図６において表示パネルと仕切り部品とを重ねた状態を示す平面図である。
【図８】図７において発光した状態を示す平面図である。
【符号の説明】
【００２８】
１    セグメント表示器
３    表示パネル
３１    表示部
３１ａ    表示用セグメント
１０５    仕切り部品
１０６    基板
１５１    通光部
１５１ａ    通光用セグメント
１６１    ＬＥＤ
【図１】
2010044224.tif 000003
【図２】
2010044224.tif 000004
【図３】
2010044224.tif 000005
【図４】
2010044224.tif 000006
【図５】
2010044224.tif 000007
【図６】
2010044224.tif 000008
【図７】
2010044224.tif 000009
【図８】
2010044224.tif 000010